【事件の表示】
　特願２０１４−　６０８６４「ビジュアルクエリシステムを使用したオブジェクトの可視化」拒絶査定不服審判事件〔平成２６年１０月　９日出願公開、特開２０１４−１９４７７１〕について、次のとおり審決する。
【結　論】
　本件審判の請求は、成り立たない。
【理　由】
第１．手続の経緯
　本願は，平成２６年３月２４日（パリ条約による優先権主張２０１３年３月２８日，米国）の出願であって，平成２７年８月２８日付けで拒絶理由が通知され，平成２７年１２月７日付けで手続補正がなされ，平成２８年１月２９日付けで拒絶査定がなされ，これに対し，平成２８年６月３日に拒絶査定に対する審判請求がなされると同時に手続補正がなされたものである。
　
第２．補正却下の決定
［補正却下の決定の結論］
　　平成２８年６月３日付けの手続補正を却下する。
　
［理由］
１．補正後の発明
　上記手続補正（以下，「本件補正」という。）は補正前の特許請求の範囲の請求項１に記載された発明を，
「　オブジェクト（１０６）についてのデータ（１０４）を可視化するためのコンピュータ実装された方法であって，
　イメージブロックの階層（１３８）およびアクションスキーム（１４０）を識別する命令（１３６）を受信すること（１０００）と，
　イメージブロックの前記階層（１３８）内のイメージブロック（１４２）をロードして（１００２），前記イメージブロック（１４２）に対応するイメージ（１４４）を，表示システム（１２４）上に表示されるグラフィカルユーザインターフェース（１２２）を介してユーザ（１０５）に表示することであって，前記イメージ（１４４）上の複数のイメージ領域（１４６）が選択可能であ
り，各イメージ領域は分岐イメージ領域又は最終イメージ領域のいずれかであり，分岐イメージ領域は新規のイメージブロックへの分岐を可能にする，
　前記命令（１３６）において識別された前記アクションスキーム（１４０）に基づいて，前記複数のイメージ領域（１４６）内のイメージ領域（１４８）の選択に応答して１組のアクション（１５０）を実行すること（１００４）と
を含み，
　前記１組のアクション（１５０）を実行することが，前記イメージ領域（１４８）が最終イメージ領域であるとき前記ユーザ（１０５）に関心のあるデータを視覚的に提示する際に使用するために可視化システム（１０２）に送られる可視化情報（１５２）を生成すること
と，前記イメージ領域（１４８）が分岐イメージ領域であるとき現在のイメージブロック（１４２）の直下のレベルの新規のイメージブロックがロードされ，前記新規のイメージブロックに対応する新規のイメージが，グラフィカルユーザインターフェース（１２２）を介してユーザ（１０５）に表示され，前記新規のイメージに対応する複数のイメージ領域が，ユーザ（１０５）によって選択可能になることと
　という発明（以下，「補正後の発明」という。）に変更することを含むものである（下線は補正箇所を示す。）。
　
２．新規事項の有無，シフト補正の有無，補正の目的要件について
　本件補正は，外国語書面の翻訳文に記載した事項の範囲内において，補正前の特許請求の範囲の請求項１に記載された「イメージ領域」について「各イメージ領域は分岐イメージ領域又は最終イメージ領域のいずれかであり，分岐イメージ領域は新規のイメージブロックへの分岐を可能にする」点を付加してこれを限定するとともに，「１組のアクション（１５０）を実行すること」について「前記イメージ領域（１４８）が分岐イメージ領域であるとき現在のイメージブロック（１４２）の直下のレベルの新規のイメージブロックがロードされ，前記新規のイメージブロックに対応する新規のイメージが，グラフィカルユーザインターフェース（１２２）を介してユーザ（１０５）に表示され，前記新規のイメージに対応する複数のイメージ領域が，ユーザ（１０５）によって選択可能になること」を付加してこれを限定することにより特許請求の範囲を減縮することを含むものであるから，特許法第１７条の２第３項（新規事項）及び第５項第２号（補正の目的）の規定に適合している。
　また，特許法第１７条の２第４項（シフト補正）に違反するものでもない。
　
３．独立特許要件について
　本件補正は特許請求の範囲の減縮を目的とするものであるから，上記補正後の発明が特許出願の際独立して特許を受けることができるものであるのかどうかについて以下に検討する。
　
（１）補正後の発明
　上記「１．補正後の発明」の項で認定したとおりである。
　
（２）引用発明
　原査定の根拠となった平成２７年８月２８日付けの拒絶の理由で引用された特開２００７−９５０３９号公報（以下，「引用例」という。）には，図面とともに次の事項が記載されている（下線は重要箇所に対して当審が付与した。以下，同様。）。
　
ア　「【００３６】
次に，添付図面を参照しながら本発明の実施形態である情報提供サーバ，クライアント，
情報提供システムの処理方法
【００３７】
図１は，本発明の実施形態である情報提供サーバ並びにクライアント端末を用いたシステムの概略を示すブロック構成図である。図１において，
本発明の実施形態としてのシステムは，情報提供サーバ１と，クライアント端末２と，スポンサー端末３と，がそれぞれインターネット等による通信回線１００を介して接続されて構成される。
　
イ　「【００４１】
〈本発明の第１の実施形態である情報提供サーバの構成〉図２は，本発明の第１の実施形態である情報提供サーバの概略構成を示すブロック図である。
本発明の第１の実施形態である情報提供サーバ１は，３次元画像変換部１０１と，３次元画像合成部１０２と，３次元画像ブラウザ１０３と，時計部１０４と，３次元広告情報データベース１０５と，を有して構成される。
【００４２】
３次元画像変換部１０１は，２次元画像情報から３次元画像データへの変換処理を行う。
【００４３】
なお，本発明において，宇宙衛星による衛星画像または航空機などによる航空写真のように，定期的に同一地域（地表）を撮影したものを航空写真と称する。また，航空写真Ａ及び航空写真Ｂの２枚の航空写真と記載しているが，これらの撮影は，必ずしも左右方向から行う必要はなく，同一地域を異なる角度から撮影したものであれば，上下方向であってもよい。
【００４４】
図３は，本発明の第１の実施形態における３次元画像変換部の各処理を説明する図である。まず，同一場所を撮影した衛星画像や航空写真などを少なくとも２枚（航空写真Ａ，航空写真Ｂ）用いてステレオ処理を行い，２枚の航空写真の視差から計算することでビルや山などの高さ方向の情報を計算する。次に，計算された値を標高メッシュ化（ＤＥＭ画像化：Digital Elevation Model ）した中間表現３１を再現し，それをポリゴン化して３次元画像データ３２を自動生成し
【００４５】
上述されるような航空写真は，既に一般に購入することが可能である。例えば，米国ＳｐａｃｅＩｍａｇｉｎｇ社が運営する人工衛星ＩＫＯＮＯＳは，同社日本子会社から１キロメートル四方につきを数千円（モノクロの場合）で購入可能である。ＩＫＯＮＯＳは，地球全体を撮影することが可能なので，地球全体の地表の航空写真を毎週最新のものを購入することが可能である。このような航空写真は，正確な緯度経度情報が付与されているので，どの地域を撮影したといった物理位置情報を正確に把握することができる。
【００４６】
ステレオ処理では，航空写真からどれが建造物でどれが山であるかという情報を抽出することはできず，単位地点毎の高さ情報が計算できるのみである。例えば，低空飛行の可能な飛行機による撮影によるものでは，地表で２５ｃｍ四方単位で高さの計算が可能である。ＩＫＯＮＯＳはそれに比べるとはるかに上空からの撮影なので，地表で１ｍ四方単位ごとに高さの計算が可能である。これを表すと，あたかも生け花に使われる剣山のような中間表現３１となる。
【００４７】
ステレオ処理に関しては，既に確立された技術である。本発明の立場は，適当な既存のステレオ処理を利用すればよいというものである。従って，本発明では特定のステレオ処理を限定するものではない。
【００４８】
図４は，中間表現としてのＤＥＭ画像の具体例を示す図である。図４に示されるように，ＤＥＭ画像は，各要素位置毎の高さ情報が抽出され，直方体形状で示されている。１ｍ四方単位ごとの高さ情報が計算される場合で説明を続けると，縦横２０ｍ四方で高さ３０ｍのビルの場合は，そのビルのある位置の２０×２０で４００点では高さ３０ｍであると計算され，その周囲は平地だとすると，それ以外の点では，高さが０ｍであると計算される。「同一の高さの点が連続している場合には１つの建造物である」という規則を適用すると，この２０×２０のところにビルがあると推測できる。
【００４９】
このようなステレオ処理が成されたＤＥＭ画像は，ポリゴン化処理により要素単位の高さが同じである場合には，連続面であると仮定することで立体構造を推測する。
【００５０】
ステレオ処理が行われると，建造物や山などのいわゆるランドマーク（目印）が，多角形のポリゴンデータとして抽出されることになる。本発明では，この抽出された多角形ポリゴンデータのランドマークを１または複数含むものを３次元画像データと呼んでいる。また，航空写真では写真中の基準点の正確な位置情報が付与されているので，これらのランドマークの位置情報は，基準点からのｘｙ軸の距離によって容易に計算される。
【００５１】
図５は，３次元画像立体表現の具体例を示す図である。図５に示されるように，上述のステレオ処理，ＤＥＭ処理，ポリゴン処理により生成された３次元画像データ３２を用いて３次元画像立体表現３３が作成され，利用者に提供される。この場合，どの視点から見るかという視点位置情報を与える必要がある。この視点位置情報を変更すると，異なる位置から見た立体表現に変わる。この視点位置情報を徐々に連続的に移動させると，あたかも空中で遊覧飛行をしているような立体画像として再現される。」
　
ウ　「【００７９】
〈本発明の第３の実施形態である情報提供サーバの構成〉図１０は，本発明の第３の実施形態である情報提供サーバの概略構成を示すブロック図である。本発明の第３の実施形態である
情報提供サーバ１は，３次元画像変換部１０１と，３次元画像合成部１０２と，時計部１０４と，３次元広告情報データベース１０５と，広告契約部１０６と，広告契約記載部１０７と，３次元画像データベース１０８と，位置入力型３次元画像合成部１０９と，を有して構成される。なお，上述される本発明の第１の実施形態と同一構成要素に関しては，同一符号を付して説明を省略する。
【００８０】
３次元画像データベース１０８は，３次元画像変換器１０１により３次元画像データが自動生成されると，この生成された３次元画像データとこの３次元画像データを一意に識別するための画像ＩＤとこの３次元画像データの位置（基準位置の緯度及び経度）とが単位レコードとして格納される。この３次元画像データベース３は，関係データベースとして構成しても通常のファイル形式で構成しても構わない。また，上記の項目において，３次元画像データは多角形ポリゴンデータのランドマークを１または複数含むものであり，画像ＩＤは生成された３次元画像データを一意に識別するために付記された番号等であり，位置は２つの航空写真Ａ，Ｂを基に生成された３次元画像データの地表面での基準位置の場所を示すものである。
【００８１】
但し，この位置の指定としては，生成される３次元画像データが，固定された大きさ（縦・横・形状共に）である場合には，基準点の緯度及び経度を指定するのみで構わないが，大きさが個々の３次元画像データにおいて異なる場合，この形状に関するデータも同一のレコードに格納されるよう構成する。これは，例えば，各３次元画像データが長方形の領域を示すことのみが決められており，長方形における各辺の長さが決まっていない場合では，位置の指定として，この長方形において対角に位置する２点を指定するよう構成することで実現される。
【００８２】
位置入力型３次元画像合成部１０９は，指定された位置情報に基づく３次元画像データと広告情報とを合成する。
当該広告内容のデータを上記３次元画像変換部１０１からの出力である３次元画像データに合成して合成３次元画像データをクライアント端末２に配信する。
【００８３】
クライアント端末２には，位置出力型３次元画像ブラウザ２０１が設けられ，位置入力型３次元画像合成部１０９から配信された合成３次元画像データを利用者指示（視点位置，情報提示指示）に基づいて，３次元画像立体表現を利用者に提供する。
【００８４】
位置出力型３次元画像ブラウザ２０１は，利用者からの位置指定情報や視点位置情報に基づいて合成３次元画像データを３次元画像立体表現に変換する。この位置出力型３次元画像ブラウザ２０１は，利用者から，まず空中遊覧したい特定の位置のデータを入力部２０２から入力されると，そのデータを位置入力型３次元画像合成部１０９へ渡し，その結果として合成３次元画像データを受け取り，内部に記憶する。次に，利用者から特定の視点位置情報を入力部２０２から入力されると，受け取った３次元画像データをその視点位置情報から見た３次元画像立体表現に作成した後，利用者に表示部２０３で提示し，
【００８５】
図１１は，位置出力型３次元画像ブラウザを備えるクライアント端末の第１の表示例を示す平面図である。
まず，利用者は，情報提供サーバ１に対して３次元空中遊覧サービスを利用するための「メニュー」画面を要求すると，図９に示されるような画面がクライアント端末２に表示される。
【００８６】
この画面において，メニュー９１の表示内容は，地球全体を階層の最上位に位置させ，その下層には，アジア，アフリカ，アメリカ，ヨーロッパ，の順に各大陸が列挙されて表示される。その下層には，さらに細分化された，例えば，「北アメリカ」や「日本」といった各国名，また各国名の下層には，都市名というようなツリー構造で表示される。この表示形式は，ウインドゥズ等で用いられるエクスプローラの形式と同様のものである。
【００８７】
また，図１２に示されるように，このメニュー画面をイメージ形式で作成することも可能である。図１２において，地球儀，日本地図，特定地域の写真などのイメージが対応して貼り付けられている。ここで貼り付けられるイメージは，２次元のビットマップ形式のものでも，３次元空間のスナップショットでも構わない。利用者は，図１２（ａ）に示される地球儀の地図上に立てられている任意の旗をクリックすると，その下層で管理される各国または各大陸の地図，例えば，日本の上に立てられている旗をクリックした場合には，図１２（ｂ）に示されるような各地方あるいは各地域に旗が立っている日本地図が立ちあがる。次に，各地方に立っている旗のうち，任意の旗をクリックすると，クリックされた旗の下層で管理される各地方または各地域の地図，例えば，東京の上に立てられている旗をクリックした場合には，図１２（ｃ）に示されるような各都市に旗が立っている東京の地図が立ちあがる。さらに，各都市に立っている旗のうち，任意の旗をクリックすると，クリックされた旗の下層で管理される各都市，例えば，新宿の上に立てられている旗をクリックした場合には，図１２（ｄ）新宿上空の３次元画像立体表現がクライアント端末に表示される。なお，上述される地図上に立てられている旗は，必ずしも旗の形状に限定されるものでなく，その他の形状であっても構わない。
【００８８】
以上のように，３次元空間遊覧サービスを実際に利用することができる最下位レベルのメニュー項目が選択されるまで３次元画像立体表現は，利用者に提示されない。例えば，，利用者が希望する地域として新宿が選択された場合，利用者は，クライアント端末上で「新宿」上空の３次元画像立体表現が提示されると，まさに新宿上空を遊覧しているかのような３次元空中遊覧サービスを利用することができる。この場合，最下位レベルのメニュー項目には，３次元空間画像の静止状態のスナップショットを貼り付けることが考えられる。なお，実際に利用者が空中遊覧サービスを利用できる最下位レベルをどこに設定するかは，サービス提供者側で自由に設定することができる。」
　
　引用例の上記記載及び図面ならびにこの分野における技術常識を考慮すると，引用例には，特にその第３の実施形態として，以下の発明（以下，「引用発明」という。）が記載されていると認める。
　
『情報提供システムの処理方法であって，システムは，情報提供サーバ１と，クライアント端末２と，スポンサー端末３と，がそれぞれインターネット等による通信回線１００を介して接続されて構成され，
　まず，利用者は，情報提供サーバ１に対して３次元空中遊覧サービスを利用するための「メニュー」画面を要求すると，メニュー９１がクライアント端末２に表示され，この画面において，メニュー９１の表示内容は，地球全体を階層の最上位に位置させ，その下層には，アジア，アフリカ，アメリカ，ヨーロッパ，の順に各大陸が列挙されて表示され，その下層には，さらに細分化された，例えば，「北アメリカ」や「日本」といった各国名，また各国名の下層には，都市名というようなツリー構造で表示され，
　また，このメニュー画面をイメージ形式で作成することも可能であり，地球儀，日本地図，特定地域の写真などのイメージが対応して貼り付けられており，ここで貼り付けられるイメージは，２次元のビットマップ形式のものでも，３次元空間のスナップショットでも構わず，利用者は，地球儀の地図上に立てられている任意の旗をクリックすると，その下層で管理される各国または各大陸の地図，例えば，日本の上に立てられている旗をクリックした場合には，各地方あるいは各地域に旗が立っている日本地図が立ちあがり，次に，各地方に立っている旗のうち，任意の旗をクリックすると，クリックされた旗の下層で管理される各地方または各地域の地図，例えば，東京の上に立てられている旗をクリックした場合には，各都市に旗が立っている東京の地図が立ちあがり，さらに，各都市に立っている旗のうち，任意の旗をクリックすると，クリックされた旗の下層で管理される各都市，例えば，新宿の上に立てられている旗をクリックした場合には，新宿上空の３次元画像立体表現がクライアント端末に表示され，
　情報提供サーバ１の３次元画像変換部１０１は，２次元画像情報から３次元画像データへの変換処理を行うものであり，まず，同一場所を撮影した衛星画像や航空写真などを少なくとも２枚（航空写真Ａ，航空写真Ｂ）用いてステレオ処理を行い，２枚の航空写真の視差から計算することでビルや山などの高さ方向の情報を計算し，次に，計算された値を標高メッシュ化（ＤＥＭ画像化：Digital Elevation Model）した中間表現３１を再現し，それをポリゴン化して３次元画像データ３２を自動生成し，位置入力型３次元画像合成部１０９は，指定された位置情報に基づく３次元画像データと広告情報とを合成するものであり，広告内容のデータを上記３次元画像変換部１０１からの出力である３次元画像データに合成して合成３次元画像データをクライアント端末２に配信し，
　クライアント端末２には，位置出力型３次元画像ブラウザ２０１が設けられ，位置入力型３次元画像合成部１０９から配信された合成３次元画像データを利用者指示（視点位置，情報提示指示）に基づいて，３次元画像立体表現を利用者に提供するよう構成され，位置出力型３次元画像ブラウザ２０１は，利用者からの位置指定情報や視点位置情報に基づいて合成３次元画像データを３次元画像立体表現に変換するものであり，利用者から，まず空中遊覧したい特定の位置のデータが入力部２０２から入力されると，そのデータを位置入力型３次元画像合成部１０９へ渡し，その結果として合成３次元画像データを受け取り，内部に記憶し，次に，利用者から特定の視点位置情報が入力部２０２から入力されると，受け取った３次元画像データをその視点位置情報から見た３次元画像立体表現に作成した後，利用者に表示部２０３で提示する，方法。』
　
（３）対比・判断
　補正後の発明と引用発明とを対比するに，
　
ａ　引用発明では「３次元画像立体表現」が「利用者に表示部２０３で提示」されるが，該「３次元画像立体表現」は，「
同一場所を撮影した
　一方，補正後の発明の「オブジェクト（１０６）」に関し，本願明細書には「オブジェクト１０６は，複数の様々な形態をとることができる。オブジェクト１０６は，たとえば，以下のものだけには限らないが，空中輸送手段，地上車両，水上車両，宇宙船，製造施設，建物，電力網，電気システム，機械システム，コンピュータ，
近隣区域，都市
　そうすると，引用発明の「同一場所を撮影して生成したデータを可視化するためのコンピュータ実装された方法」である「情報提供システムの処理方法」は，補正後の発明の「オブジェクト（１０６）についてのデータ（１０４）を可視化するためのコンピュータ実装された方法」に相当する。
ｂ　引用発明では「メニュー９１がクライアント端末２に表示され，この画面において，メニュー９１の表示内容は，
地球全体を階層の最上位に位置させ，その下層には
その下層には
各国名の下層には
ツリー構造で
　また，この
メニュー画面をイメージ形式で作成することも可能であり，地球儀，日本地図，特定地域の写真などのイメージが対応して貼り付けられており
　ここで，「イメージ形式」で作成された「地球儀，日本地図，特定地域の写真などのイメージ」は「ツリー構造」の各「階層」に属するものであって，補正後の発明の「イメージブロックの階層（１３８）」に相当するから，利用者が「地球儀の地図」，「日本地図」，「東京の地図」の上に立った「旗」をクリックすることは，補正後の発明の「イメージブロックの階層（１３８）およびアクションスキーム（１４０）を識別する命令（１３６）」に相当する。
　そして，「旗」のクリックによる命令が「クライアント端末２」で受信されることは明らかであるから，引用発明は，補正後の発明の「イメージブロックの階層（１３８）およびアクションスキーム（１４０）を識別する命令（１３６）を受信すること（１０００）」に相当する構成を備えているといえる。
ｃ　引用発明において，「地球儀の地図」，「日本地図」，「東京の地図」などのメニュー画面のイメージは，旗を選択してクリックすることでその下層にある複数のイメージのいずれかに「分岐」可能であるから，これらは補正後の発明の「分岐イメージ領域」に相当し，また，「東京の地図」の「新宿の上に立てられている旗をクリックした場合」に表示される「新宿上空の３次元画像立体表現」は，その下層にイメージを有しないため「分岐」できないことは明白であって，補正後の発明の「最終イメージ領域」に相当する。
　また，「地球儀の地図」，「日本地図」，「東京の地図」などのメニュー画面のイメージや「新宿上空の３次元画像立体表現」は，いずれも「情報提供サーバ１」から送信されるイメージである。
　そうすると，引用発明は，補正後の発明の「イメージブロックの前記階層（１３８）内のイメージブロック（１４２）をロードして（１００２），前記イメージブロック（１４２）に対応するイメージ（１４４）を，表示システム（１２４）上に表示されるグラフィカルユーザインターフェース（１２２）を介してユーザ（１０５）に表示することであって，前記イメージ（１４４）上の複数のイメージ領域（１４６）が選択可能であり，各イメージ領域は分岐イメージ領域又は最終イメージ領域のいずれかであり，分岐イメージ領域は新規のイメージブロックへの分岐を可能にする，表示すること」
　に相当する構成を備えているといえる。
ｄ　引用発明において，例えば「地球儀の地図」には「日本」以外にも複数の国のイメージが含まれているが，その中から「日本」の上に立った旗を選択してクリックすることは，補正後の発明の「複数のイメージ領域（１４６）内のイメージ領域（１４８）の選択」に相当する。さらに，このような旗の選択は複数の階層にわたって行なわれるものであって補正後の発明の「１組のアクション（１５０）」に相当する。
　そうすると，引用発明は補正後の発明の「前記命令（１３６）において識別された前記アクションスキーム（１４０）に基づいて，前記複数のイメージ領域（１４６）内のイメージ領域（１４８）の選択に応答して１組のアクション（１５０）を実行すること（１００４）」に相当する構成を備えているといえる。
ｅ　引用発明の「位置出力型３次元画像ブラウザ２０１は，利用者から，まず空中遊覧したい特定の位置のデータが入力部２０２から入力されると，そのデータを位置入力型３次元画像合成部１０９へ渡し，その結果として合成３次元画像データを受け取り，内部に記憶し，次に，利用者から特定の視点位置情報が入力部２０２から入力されると，受け取った３次元画像データをその視点位置情報から見た３次元画像立体表現に作成した後，利用者に表示部２０３で提示する」によれば，引用発明における「最終イメージ」である「３次元画像立体表現」は，「利用者から，まず空中遊覧したい特定の位置のデータが入力部２０２から入力され」ることによって「受け取」った「合成３次元画像データ」を使用して「位置出力型３次元画像ブラウザ２０１」が作成するものである。
　そうすると，引用発明の「位置出力型３次元画像ブラウザ２０１」，「合成３次元画像データ」は，それぞれ，補正後の発明の「可視化システム（１０２）」，「可視化情報（１５２）」に相当するものであり，引用発明は，補正後の発明の「前記１組のアクション（１５０）を実行することが，前記イメージ領域（１４８）が最終イメージ領域であるとき前記ユーザ（１０５）に関心のあるデータを視覚的に提示する際に使用するために可視化システム（１０２）に送られる可視化情報（１５２）を生成すること」に相当する構成を備えているといえる。
ｆ　上記ｃでの検討を踏まえれば，引用発明は，補正後の発明の「前記イメージ領域（１４８）が分岐イメージ領域であるとき現在のイメージブロック（１４２）の直下のレベルの新規のイメージブロックがロードされ，前記新規のイメージブロックに対応する新規のイメージが，グラフィカルユーザインターフェース（１２２）を介してユーザ（１０５）に表示され，前記新規のイメージに対応する複数のイメージ領域が，ユーザ（１０５）によって選択可能になること」に相当する構成を備えているといえる。
　
　したがって，補正後の発明と引用発明とは，
「　オブジェクト（１０６）についてのデータ（１０４）を可視化するためのコンピュータ実装された方法であって，
　イメージブロックの階層（１３８）およびアクションスキーム（１４０）を識別する命令（１３６）を受信すること（１０００）と，
　イメージブロックの前記階層（１３８）内のイメージブロック（１４２）をロードして（１００２），前記イメージブロック（１４２）に対応するイメージ（１４４）を，表示システム（１２４）上に表示されるグラフィカルユーザインターフェース（１２２）を介してユーザ（１０５）に表示することであって，前記イメージ（１４４）上の複数のイメージ領域（１４６）が選択可能であり，各イメージ領域は分岐イメージ領域又は最終イメージ領域のいずれかであり，分岐イメージ領域は新規のイメージブロックへの分岐を可能にする，表示することと，
　前記命令（１３６）において識別された前記アクションスキーム（１４０）に基づいて，前記複数のイメージ領域（１４６）内のイメージ領域（１４８）の選択に応答して１組のアクション（１５０）を実行すること（１００４）と
を含み，
　前記１組のアクション（１５０）を実行することが，前記イメージ領域（１４８）が最終イメージ領域であるとき前記ユーザ（１０５）に関心のあるデータを視覚的に提示する際に使用するために可視化システム（１０２）に送られる可視化情報（１５２）を生成することと，前記イメージ領域（１４８）が分岐イメージ領域であるとき現在のイメージブロック（１４２）の直下のレベルの新規のイメージブロックがロードされ，前記新規のイメージブロックに対応する新規のイメージが，グラフィカルユーザインターフェース（１２２）を介してユーザ（１０５）に表示され，前記新規のイメージに対応する複数のイメージ領域が，ユーザ（１０５）によって選択可能になることとを含む，方法。」
　の点で一致しており相違点はない。
　
　補正後の発明の作用効果についても，引用発明との差異は認められない。
　
　したがって，補正後の発明は引用発明と同一であり，また，引用発明に基づいて引用発明と同一である補正後の発明を発明することは当業者にとって容易である。
　
（４）まとめ
　以上のとおり，補正後の発明は，引用発明と同一であるから特許法第２９条第１項第３号の規定により特許出願の際独立して特許を受けることができないものであり，また，引用発明に基づいて当業者が容易に発明をすることができたものであるから，特許法第２９条第２項の規定により特許出願の際独立して特許を受けることができないものである。
　したがって，本件補正は，特許法第１７条の２第６項において準用する特許法第１２６条第７項の規定に違反するので，特許法第１５９条第１項において読み替えて準用する同法第５３条第１項の規定により却下すべきものである。
　
第３．本願発明について
１．本願発明
　平成２８年６月３日付けの手続補正は上記のとおり却下されたので，本願の請求項１に係る発明（以下，「本願発明」という。）は，平成２７年１２月７日付けの手続補正書により補正された特許請求の範囲の請求項１に記載された以下のとおりのものと認める。
　
「オブジェクト（１０６）についてのデータ（１０４）を可視化するためのコンピュータ実装された方法であって，
　イメージブロックの階層（１３８）およびアクションスキーム（１４０）を識別する命令（１３６）を受信すること（１０００）と，
　イメージブロックの前記階層（１３８）内のイメージブロック（１４２）をロードして（１００２），前記イメージブロック（１４２）に対応するイメージ（１４４）を，表示システム（１２４）上に表示されるグラフィカルユーザインターフェース（１２２）を介してユーザ（１０５）に表示することであって，前記イメージ（１４４）上の複数のイメージ領域（１４６）が選択可能である，表示することと，
　前記命令（１３６）において識別された前記アクションスキーム（１４０）に基づいて，前記複数のイメージ領域（１４６）内のイメージ領域（１４８）の選択に応答して１組のアクション（１５０）を実行すること（１００４）と
を含み，
　前記１組のアクション（１５０）を実行することが，前記イメージ領域（１４８）が最終イメージ領域であるとき前記ユーザ（１０５）に関心のあるデータを視覚的に提示する際に使用するために可視化システム（１０２）に送られる可視化情報（１５２）を生成することを含む，方法。」
　
２．引用発明
　引用発明は，上記「第２．補正却下の決定」の項中の「３．独立特許要件について」の項中の「（２）引用発明」の項で認定したとおりである。
　
３．対比・判断
　そこで，本願発明と引用発明とを対比するに，本願発明は上記補正後の発明から当該補正に係る限定を省いたものである。
　そうすると，本願発明の構成に当該補正に係る限定を付加した補正後の発明が，上記「第２．補正却下の決定」の項中の「３．独立特許要件について」の項で検討したとおり，引用発明と同一であり，また，引用発明に基づいて容易に発明できたものであるから，本願発明も同様の理由により引用発明と同一であり，また，引用発明から当業者が容易に発明をすることができたものである。
　
４．むすび
　以上のとおり，本願発明は引用発明と同一であるから特許法第２９条第１項第３号の規定により特許を受けることができない。また，本願発明は引用発明に基づいて当業者が容易に発明をすることができたものであるから，特許法第２９条第２項の規定により特許を受けることができない。
　
　よって，結論のとおり審決する。